(57)【要約】【課題】夜間に看護者が接近した廊下灯の表示部だけを点灯させ、その他の表示部は消灯させることにより無駄な電力を消費しないようにするとともに夜間に表示部のバックライトのみが幽かに点灯する不気味感も解消できるナースコールシステムを提供する。【解決手段】ナースコール子機（２ａ、２ｂ、・・・）と、廊下灯（３ａ、３ｂ、・・・）及び廊下灯に接近する者を感知する近接センサ（６１）と、ナースコール親機（１）とを備え、廊下灯は、被看護者の患者情報を表示するための表示部（３１ａ、３１ｂ、・・・）と、近接センサからの信号を受信するための廊下灯入力端子（３３）を有し、廊下灯の表示部は、近接センサから入力端子に受信される信号によって点灯及び消灯するためのバックライト（３２）を備える。【選択図】図１
2008206780.tif 000002
【特許請求の範囲】
【請求項１】
病院、老人福祉施設等の病室毎の各病床に設置され被看護者が看護者を呼び出すためのナースコール子機（２ａ、２ｂ、・・・）と、
廊下に設置され前記ナースコール子機からの呼び出しを報知するための廊下灯（３ａ、３ｂ、・・・）及び前記廊下灯に接近する者を感知する近接センサ（６１）と、
ナースステーションに設置され前記ナースコール子機からの呼び出しを確認した前記看護者が応答して通話を成立するためのナースコール親機（１）とを備え、
前記廊下灯は、前記被看護者の患者情報を表示するための表示部（３１ａ、３１ｂ、・・・）と、前記近接センサからの信号を受信するための廊下灯入力端子（３３）を有し、
前記廊下灯の表示部は、前記近接センサから前記廊下灯入力端子に受信される信号によって点灯及び消灯するためのバックライト（３２）を備えたことを特徴とするナースコールシステム。
【請求項２】
病院、老人福祉施設等の病室毎の各病床に設置され被看護者が看護者を呼び出すためのナースコール子機（２ａ、２ｂ、・・・）と、
廊下に設置され前記ナースコール子機からの呼び出しを報知するための廊下灯（３ａ、３ｂ、・・・）及び前記廊下灯に接近する者を感知する近接センサ（６１）と、
ナースステーションに設置され前記ナースコール子機からの呼び出しを確認した前記看護者が応答して通話を成立するためのナースコール親機（１）とを備え、
前記廊下灯は、前記被看護者の患者情報を表示するための表示部（３１ａ、３１ｂ、・・・）を有し、
前記ナースコール親機は、前記近接センサからの信号を受信するための親機入力端子（１３）を有し、
前記廊下灯の表示部は、前記近接センサから前記ナースコール親機の前記親機入力端子に受信される信号によって点灯及び消灯するためのバックライト（３２）を備えたことを特徴とするナースコールシステム。
【請求項３】
病院、老人福祉施設等の病室毎の各病床に設置され被看護者が看護者を呼び出すためのナースコール子機（２ａ、２ｂ、・・・）と、
廊下に設置され前記ナースコール子機からの呼び出しを報知するための廊下灯（３ａ、３ｂ、・・・）及び前記廊下灯に接近する者を感知する近接センサ（６１）と、
ナースステーションに設置され前記ナースコール子機からの呼び出しを確認した前記看護者が応答して通話を成立するためのナースコール親機（１）と、
前記ナースコール子機、前記廊下灯及び前記ナースコール親機をそれぞれ制御するための制御機（５）とを備え、
前記廊下灯は、前記被看護者の患者情報を表示するための表示部（３１ａ、３１ｂ、・・・）を有し、
前記制御機は、前記近接センサからの信号を受信するための制御機入力端子（５３）を有し、
前記廊下灯の表示部は、前記近接センサから前記制御機の前記制御機入力端子に受信される信号によって点灯及び消灯するためのバックライト（３２）を備えたことを特徴とするナースコールシステム。
【請求項４】
前記各入力端子は、フットライト、ダウンライト、シーリングライト等の照明機器（６）に内蔵される近接センサ（６１）の点灯信号及び消灯信号を受信することを特徴とする請求項１乃至請求項３何れか１項記載のナースコールシステム。
【請求項５】
前記各入力端子は、赤外線センサ、パッシブセンサ、アクティブセンサ等からなる近接センサの感知信号を受信することを特徴とする請求項１乃至請求項３何れか１項記載のナースコールシステム。
【請求項６】
看護者が携帯して前記ナースコール子機と無線で通話を行う携帯親機（８）と、病室外の廊下等の通路壁面に設置され、前記携帯親機と音声信号及び位置情報を含むデータ信号を送受信する複数のアンテナ（９ａ、９ｂ、・・）とを備え、前記ナースコール子機からの呼出操作に応じて、前記廊下灯を介して前記ナースコール親機に呼出信号を送出し、前記ナースコール親機及び前記携帯親機が呼出表示を行なうことを特徴とする請求項１乃至請求項３何れか１項記載のナースコールシステム。
【請求項７】
前記各入力端子は、前記携帯親機の受信エリア内での存在を認識した前記アンテナの位置情報を受信することを特徴とする請求項６記載のナースコールシステム。
【請求項８】
前記バックライトは、前記ナースコール子機から呼出があった場合に、呼出されていないバックライトを消灯させることを特徴とする請求項１乃至請求項７何れか１項記載のナースコールシステム。
【請求項９】
前記ナースコール子機から呼出があった場合に、呼出のあった前記ナースコール子機の位置を指示するための方向表示灯（７）を備え、前記各入力端子に受信される信号によって前記方向表示灯を点灯及び消灯させることを特徴とする請求項１乃至請求項７何れか１項記載のナースコールシステム。
【発明の詳細な説明】
【技術分野】
【０００１】
本発明はナースコールシステムに係り、特に、廊下灯に患者氏名等の患者情報を表示するための表示部である液晶ディスプレイを備えたナースコールシステムに関する。
【背景技術】
【０００２】
従来から、この種のナースコールシステムとして、呼出時に廊下灯の液晶ディスプレイに患者情報を表示するものがよく知られている（例えば、特許文献１、特許文献２参照）。
【０００３】
従来例のナースコールシステムにおいては、深夜等に廊下が消灯されている時間帯では、廊下灯の表示部が常時点灯していると、消費電力が増大するという問題があるともに、廊下灯表示部のバックライトのみが薄明かりのように点灯することによる不気味感があり、不使用時には消灯することが望まれていた。
【０００４】
この解決方法として、各廊下灯に人体検知センサを備えて、この人体検知センサが動作した場合のみ廊下灯を点灯させるような技術が提案されている（例えば、特許文献３参照）。
【０００５】
【特許文献１】特開２００６−２１０２９号公報
【特許文献２】特開２００５−３４８１４９号公報
【特許文献３】特開２００３−２８３６８２号公報
【発明の開示】
【発明が解決しようとする課題】
【０００６】
しかしながら、特許文献３に記載されたナースコールシステムにおける廊下灯では、全ての廊下灯に人体検知センサを設置する必要があるため、コストアップの要因となるとともに、看護者や被看護者などが廊下を歩く位置によって点灯タイミングにばらつきが発生するという問題が生じていた。
【０００７】
本発明は、上述の難点を解消するためになされたもので、夜間に看護者が廊下を巡回する場合に、看護者が接近した廊下灯の表示部だけを点灯させ、その他の表示部は消灯させることにより無駄な電力を消費しないようにするとともに不気味感も解消できるナースコールシステムを提供することを目的としている。
【課題を解決するための手段】
【０００８】
上述の目的を達成するため、本発明のナースコールシステムの第１の態様は、病院、老人福祉施設等の病室毎の各病床に設置され被看護者が看護者を呼び出すためのナースコール子機と、廊下に設置されナースコール子機からの呼び出しを報知するための廊下灯及び廊下灯に接近する者を感知する近接センサと、ナースステーションに設置されナースコール子機からの呼び出しを確認した看護者が応答して通話を成立するためのナースコール親機とを備え、廊下灯は、被看護者の患者情報を表示するための表示部と、近接センサからの信号を受信するための廊下灯入力端子を有し、廊下灯の表示部は、近接センサから入力端子に受信される信号によって点灯及び消灯するためのバックライトを備えたことを特徴とする。
【０００９】
また本発明のナースコールシステムの第２の態様は、病院、老人福祉施設等の病室毎の各病床に設置され被看護者が看護者を呼び出すためのナースコール子機と、廊下に設置されナースコール子機からの呼び出しを報知するための廊下灯及び廊下灯に接近する者を感知する近接センサと、ナースステーションに設置されナースコール子機からの呼び出しを確認した看護者が応答して通話を成立するためのナースコール親機とを備え、廊下灯は、被看護者の患者情報を表示するための表示部を有し、ナースコール親機は、近接センサからの信号を受信するための親機入力端子を有し、廊下灯の表示部は、近接センサからナースコール親機の入力端子に受信される信号によって点灯及び消灯するためのバックライトを備えたことを特徴とする。
【００１０】
さらに本発明のナースコールシステムの第３の態様は、病院、老人福祉施設等の病室毎の各病床に設置され被看護者が看護者を呼び出すためのナースコール子機と、廊下に設置されナースコール子機からの呼び出しを報知するための廊下灯及び廊下灯に接近する者を感知する近接センサと、ナースステーションに設置されナースコール子機からの呼び出しを確認した看護者が応答して通話を成立するためのナースコール親機と、ナースコール子機、廊下灯及びナースコール親機をそれぞれ制御するための制御機とを備え、
廊下灯は、被看護者の患者情報を表示するための表示部を有し、制御機は、近接センサからの信号を受信するための制御機入力端子を有し、廊下灯の表示部は、近接センサから制御機の入力端子に受信される信号によって点灯及び消灯するためのバックライトを備えたことを特徴とする。
【００１１】
また本発明のナースコールシステムの第４の態様は、第１の態様から第３の態様において、各入力端子は、フットライト、ダウンライト、シーリングライト等の照明機器に内蔵される近接センサの点灯信号及び消灯信号を受信することを特徴とする。
【００１２】
さらに本発明のナースコールシステムの第５の態様は、第１の態様から第３の態様において、各入力端子は、赤外線センサ、パッシブセンサ、アクティブセンサ等からなる近接センサの感知信号を受信することを特徴とする。
【００１３】
また本発明のナースコールシステムの第６の態様は、第１の態様から第３の態様において、看護者が携帯してナースコール子機と無線で通話を行う携帯親機と、病室外の廊下等の通路壁面に設置され、携帯親機と音声信号及び位置情報を含むデータ信号を送受信する複数のアンテナとを備え、ナースコール子機からの呼出操作に応じて、廊下灯を介してナースコール親機に呼出信号を送出し、ナースコール親機及び携帯親機が呼出表示を行なうことを特徴とする。
【００１４】
さらに本発明のナースコールシステムの第７の態様は、第６の態様において、各入力端子は、携帯親機の受信エリア内での存在を認識したアンテナの位置情報を受信することを特徴とする。
【００１５】
また本発明のナースコールシステムの第８の態様は、第１の態様から第７の態様において、バックライトは、ナースコール子機から呼出があった場合に、呼出されていないバックライトを消灯させることを特徴とする。
【００１６】
さらに本発明のナースコールシステムの第９の態様は、第１の態様から第７の態様において、ナースコール子機から呼出があった場合に、呼出のあったナースコール子機の位置を指示するための方向表示灯を備え、各入力端子に受信される信号によって方向表示灯を点灯及び消灯させることを特徴とする。
【発明の効果】
【００１７】
本発明のナースコールシステムの第１から第３の態様によれば、外部からナースコール親機、制御機、あるいは廊下灯への入力信号によって廊下灯の表示部を点灯／消灯できるので、個々の廊下灯毎に人体検知センサを設けなくても従来と同様な動作を実現することができる。
【００１８】
また本発明のナースコールシステムの第４及び第５の態様によれば、照明機器に内蔵された近接センサの点灯信号及び消灯信号を受信することができるので、建物内の照明機器との連動が可能となる。
【００１９】
さらに本発明のナースコールシステムの第６及び第７の態様によれば、看護者が携帯する携帯親機の信号を送受信するアンテナの位置情報を受信することにより、看護者の位置を特定して廊下灯の表示部を点灯／消灯できるので、看護者以外の人が点灯した表示部をのぞき見ることがなくなり、さらに利便性が向上する。
【００２０】
また本発明のナースコールシステムの第８の態様によれば、ナースコール子機から呼出があった場合のみ廊下灯の表示部のバックライトを点灯し、呼出がない廊下灯の表示部のバックライトは点灯させないので、呼出のあった病室を容易に特定することができる。
【００２１】
さらに本発明のナースコールシステムの第９の態様によれば、方向表示灯を備えているために、呼出のあったナースコール子機の位置を方向表示灯により表示できるとともに、看護師が近くにいることを認識した廊下灯の近傍にある方向表示灯のみを点灯し、看護師が近くにいることを認識できない廊下灯の近傍にある他の方向表示灯を消灯させることにより、看護師がいない区域の方向表示灯をまっ暗な中で幽かに点灯させることを防止できる。
【発明を実施するための最良の形態】
【００２２】
以下、本発明のナースコールシステムを適用した好ましい実施の形態について、図面を参照して説明する。
【００２３】
図１は、本発明の第１の実施の形態によるナースコールシステムのシステム構成図である。
【００２４】
図１に示す第１の実施の形態におけるナースコールシステムは、ナースステーションに設置されたナースコール親機１と例えば病室ａ、病室ｂ、・・・に設置されているナースコール子機２ａ、２ｂ、２ｃ、・・・が制御機５、廊下灯３ａ、３ｂ、・・・子機プレート４、４、・・・を介して接続されている。
【００２５】
１台の子機プレート４には１つのナースコール子機が接続され、また子機プレート４には図示しないマイク、スピーカが接続されている。１台の廊下灯には伝送線Ｌ１によって１台若しくは複数（例えば２〜６台）の子機プレート４が接続され、１台の制御機５には廊下灯幹線Ｌ２によって１台若しくは複数（例えば２〜６０台）の廊下灯３ａ、３ｂ、・・・が接続され、制御機５の廊下灯と反対の側にはナースコール親機１が接続されている。
【００２６】
ところで、図２のブロック図において示すように、廊下灯３ａ、３ｂ、・・・は、それぞれ液晶ディスプレイ３１ａ、３１ｂ、・・・、バックライト３２、近接センサの信号を受信する廊下灯入力端子３３と、廊下灯データ送受信回路３４を備えるとともに、バス接続によりナースステーションに設置されたナースコール親機１に接続されており、ナースコール親機１には親機ディスプレイ１２、通話開始・終了のトリガとなる通話ボタン１１、親機データ送受信回路１４のほかに図示しないマイクとスピーカが備えられている。
【００２７】
また、病室の廊下には、夜間に人が歩いていることを検知するための赤外線センサ等の近接センサ６１が内蔵され、この近接センサ６１によって検知された信号により点灯及び消灯するフットセンサ、ダウンライト、シーリングライト等の照明機器６、６、・・・が設置されている。
【００２８】
なお、このようなナースコールシステムでは、病室からの患者の呼出操作によって、ナースコール親機１の呼出音が鳴動し、ナースコール親機１での操作によりナースコール親機１と子機プレート４が通話を行なうことができるが、このような通話信号の送受信は従来のナースコールシステムと同様のため説明を省略する。
【００２９】
ここで、本発明の第１の実施の形態の動作について説明する。
【００３０】
例えば、夜間に病室及び廊下が消灯している状態で呼出、通話等の動作を行っていない場合、廊下灯の表示部である液晶ディスプレイは消灯している。
【００３１】
廊下を看護者が巡回すると、廊下に設置された照明機器６に内蔵された近接センサ６１が人間が接近したことを検知し、照明機器６を点灯させるとともに、検知信号が例えば１つの廊下灯３ａの廊下灯入力端子３３に送られる。
【００３２】
廊下灯入力端子３３から近接センサ６１の検知信号を受信した廊下灯３ａは、バックライト３２を点灯させることにより、廊下の照明に連動して液晶ディスプレイ３１ａの視認性を向上させる。
【００３３】
看護者が廊下を通過すると、廊下に設置された照明機器６に内蔵された近接センサ６１は人間が当該センサ付近から離れたことを検知し、照明機器６を消灯させるとともに、検知信号が廊下灯３ａの廊下灯入力端子３３に送られる。
【００３４】
廊下灯入力端子３３から近接センサ６１の通過信号を受信した廊下灯３ａは、バックライト３２を消灯させることにより、廊下の照明に連動して液晶ディスプレイ３１ａがまっ暗な中で幽かに点灯していることによる不気味感を防ぐことができる。
【００３５】
次に、本発明の第２の実施の形態について説明する。
【００３６】
図３は、本発明の第２の実施の形態によるナースコールシステムのシステム構成図である。
【００３７】
図３に示す第２の実施の形態におけるナースコールシステムは、第１の実施の形態と同様にナースステーションに設置されたナースコール親機１とナースコール子機２ａ、２ｂ、２ｃ、・・・が制御機５、廊下灯３ａ、３ｂ、・・・子機プレート４、４、・・・を介して接続されている。
【００３８】
ここで、本実施の形態では、看護者が夜間に病室や廊下を巡回する時にナースコール子機２ａ、２ｂ、２ｃ、・・・の呼出に応じて無線で通話を行う携帯親機８、８、・・・をそれぞれ保持している。
【００３９】
廊下等の通路壁面には、携帯親機８、８、・・・と音声信号及び位置情報等の各種データ信号を送受信する複数のアンテナ９ａ、９ｂ、・・・が設置されている。
【００４０】
制御機５はアンテナ９ａ、９ｂ、・・と音声信号及び各種データ信号を送受信する接続端子５４を備えている。
【００４１】
廊下灯３ａ、３ｂ、・・にはアンテナ９ａ、９ｂ、・・から位置情報信号を受信する本図では図示しない図２と同様の廊下灯入力端子３３を備えている。
【００４２】
以下、本発明の第２の実施の形態の動作ついて説明する。
【００４３】
例えば、夜間、病室及び廊下が消灯している状態で呼出、通話等の動作を行っていない場合、廊下灯の液晶ディスプレイは消灯している。
【００４４】
廊下を携帯親機８を保持した看護者が巡回すると、廊下に設置された例えばアンテナ９ａが携帯親機８の存在を確認し、位置情報信号が廊下灯３ａの廊下灯入力端子３３に送られる。
【００４５】
廊下灯入力端子３３からアンテナ９ａの位置情報信号を受信した廊下灯３ａは、バックライト３２を点灯させることにより、看護者の巡回に連動して液晶ディスプレイ３１ａの視認性を向上させる。
【００４６】
看護者が廊下を通過すると、廊下に設置されたアンテナ９ａが携帯親機８の不存在を確認し、位置情報信号が廊下灯３ａの廊下灯入力端子３３に送られる。
【００４７】
廊下灯入力端子３３から携帯親機８の不存在に関する位置情報信号を受信した廊下灯３ａは、バックライト３２を消灯させることにより、看護者の巡回に連動して液晶ディスプレイ３１ａを消灯させる。
【００４８】
さらに、本発明の第３の実施の形態について説明する。
【００４９】
図４は、本発明の第３の実施の形態によるナースコールシステムのシステム構成図である。また、図５は本発明の第３の実施の形態によるナースコールシステムのブロック図である。
【００５０】
図４及び図５に示すナースコールシステムは、第１の実施の形態に加え、ナースコール子機から呼出があった場合に、呼出のあったナースコール子機の位置を指示するために廊下の天井に設置された方向表示灯７を備えており、廊下灯３ａ、３ｂ、・・・に接続されている。なお、方向表示灯７は制御機５に接続されていてもよい。
【００５１】
以下、本発明の第３の実施の形態について看護者巡回中の呼出時の動作に限定して説明する。
【００５２】
例えば、夜間、病室及び廊下が消灯している状態で呼出、通話等の動作を行っていない場合、廊下灯の液晶ディスプレイ３１ａ、３１ｂ、・・・及び方向表示灯７は消灯している。
【００５３】
廊下を看護者が巡回すると、第１または第２の実施の形態と同様の動作によって、廊下灯はバックライト３２を点灯させることにより、看護者の巡回に連動して、例えば看護者の近くにある液晶ディスプレイ３１ａ、３１ｂの視認性を向上させる。
【００５４】
廊下灯の複数のバックライト３２が点灯している時、例えば、ある特定のナースコール子機２ｆから呼出があった場合、呼出を検知した制御機５は、呼出を行なったナースコール子機２ｆが接続されている廊下灯３ｂの液晶ディスプレイ３１ｂのバックライト３２を点灯させ、その他の液晶ディスプレイ３１ａ、３１ｃ、・・・のバックライト３２を消灯させることにより、呼出のあったナースコール子機２ｆのある部屋のみの廊下灯が点灯することになるので、容易に病室を特定することができる。
【００５５】
また、呼出を検知した制御機５は、複数の方向表示灯７、７、・・・のうち、廊下灯入力端子３３から看護者が近くにいることを認識した廊下灯の近傍にある方向表示灯７のみを点灯し、看護者が近くにいることを認識できない廊下灯の近傍にある他の方向表示灯７を消灯することにより、看護者がいない区域の方向表示灯をまっ暗な中で幽かに点灯させることを防止できる。
【００５６】
なお、第１及び第２の実施の形態では、廊下灯３ａ、３ｂ、・・・にそれぞれ廊下灯入力端子３３を備えたが、これに代えて、例えば図２に波線で示すようにナースコール親機１に親機入力端子１３を備えてもよい。
【００５７】
この場合には、照明機器６、６、・・・またはアンテナ９ａ、９ｂ、・・・は、近接センサ６１の位置情報、あるいは個体識別番号等の識別情報を附してナースコール親機１に検知信号／通過信号／位置情報信号等を送信する。
【００５８】
ナースコール親機１は識別情報に基づいて点灯すべき廊下灯を特定し、当該廊下灯に対して点灯／消灯信号を送出することにより、ナースコール親機１に親機入力端子１３を備えた場合でも第１及び第２の実施の形態と同様の効果を奏することができる。
【００５９】
また、同様に第１及び第２の実施の形態では、廊下灯３ａ、３ｂ、・・・にそれぞれ廊下灯入力端子３３を備えたが、これに代えて、例えば図１に波線で示すように制御機５に制御機入力端子５３を備えてもよい。この場合には、照明機器６、６、・・・は、ナースコール親機１への送信と同様に制御機５に検知信号／通過信号を送信することにより、制御機５は識別情報に基づいて点灯すべき廊下灯を特定し、当該廊下灯に対して点灯／消灯信号を送出することにより、制御機５に制御機入力端子５３を備えた場合でも第１及び第２の実施の形態と同様の効果を奏することができる。
【００６０】
また、図３に波線で示すように制御機５の接続端子５４に制御機入力端子５３の機能を兼任させ、位置情報のデータ信号を受信してもよい。この場合には、アンテナ９ａ、９ｂ、・・・は、ナースコール親機１への送信と同様に制御機５に位置情報信号を送信することにより、制御機５は位置情報信号に基づいて点灯すべき廊下灯を特定し、当該廊下灯に対して点灯／消灯信号を送出することにより、上記各実施の形態と同様の効果を奏するとともに、制御機入力端子５３が不要となり回路が簡略化される。
【００６１】
また、第１及び第２の実施の形態では、近接センサとして赤外線センサを用いているが、他にパッシブセンサやアクティブセンサでもよく、センサの種類を問わず適用が可能で、特に制限されることはない。
【００６２】
また、第３の実施の形態では、廊下灯３ａ、３ｂ、・・にそれぞれ廊下灯入力端子３３を備えたが、これに代えて、方向表示灯７に入力端子を備えても同様の効果を奏することができる。
【図面の簡単な説明】
【００６３】
【図１】本発明のナースコールシステムの第１の実施の形態によるシステム構成図である。
【図２】本発明のナースコールシステムの第１の実施の形態によるブロック図である。
【図３】本発明のナースコールシステムの第２の実施の形態によるシステム構成図である。
【図４】本発明のナースコールシステムの第３の実施の形態によるシステム構成図である。
【図５】本発明のナースコールシステムの第３の実施の形態によるブロック図である。
【符号の説明】
【００６４】
１                      ナースコール親機
２ａ〜２ｇ              ナースコール子機
３ａ、３ｂ              廊下灯
４                      子機プレート
５                      制御機
６                      照明機器
７                      方向表示灯
８                      携帯親機
９ａ、９ｂ              アンテナ
１３                    親機入力端子
３１ａ、３１ｂ          表示部
３２                    バックライト
３３                    廊下灯入力端子
５３                    制御機入力端子
６１                    近接センサ
【図１】
2008206780.tif 000003
【図２】
2008206780.tif 000004
【図３】
2008206780.tif 000005
【図４】
2008206780.tif 000006
【図５】
2008206780.tif 000007